【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  稼動音低減のための切り替え手段を有する画像形成装置であって、前記画像形成装置は記録紙の各サイズに対応した複数の記録紙収納部を有し、前記稼動音低減のための切り替え手段により、記録時の給紙場所を画像形成部に最も近い場所から行うように動作設定可能とすることを特徴とする画像形成装置。
【請求項２】  複数の記録紙収納部と、該記録紙収納部から記録紙を画像記録部へ搬送して画像を記録する画像形成装置であって、
記録動作を通常よりも静かに行う静音モードを有し、
前記静音モードが選択されたことに応じて、通常時に使用する記録紙収納部に対して、同一サイズの記録紙を収納した記録紙収納部のなかで前記画像記録部までの搬送路が、より短い記録紙収納部を選択して記録を行うことを特徴とする画像形成装置。
【請求項３】  少なくとも２種類以上の異なる搬送速度で記録紙収納部から記録紙を画像記録部へ搬送して画像を記録可能な画像形成装置であって、
記録動作を通常よりも静かに行う静音モードを有し、
前記静音モードが選択されたことに応じて、前記異なる搬送速度のなかで通常時より遅い搬送速度を選択して記録を行うことを特徴とする画像形成装置。
【請求項４】  記録紙収納部から記録紙を画像記録部へ搬送して画像を記録する際に、単位時間あたりの記録枚数を異ならせて動作可能な画像形成装置であって、
記録動作を通常よりも静かに行う静音モードを有し、
前記静音モードが選択されたことに応じて、前記単位時間あたりの記録枚数を通常時より低減して記録を行うことを特徴とする画像形成装置。
【請求項５】  記録紙収納部から記録紙を画像記録部へ搬送して画像を記録する複数の駆動源を使用した画像形成装置であって、
記録動作を通常よりも静かに行う静音モードを有し、
前記静音モードが選択されたことに応じて、前記駆動源に対する印加電流値を通常時より低下させて記録を行うことを特徴とする画像形成装置。
【請求項６】  原稿を読取る読取り動作を行い、記録紙収納部から記録紙を画像記録部へ搬送して読取った画像を記録する画像形成装置であって、
記録動作を通常よりも静かに行う静音モードを有し、
通常時は読取り動作が完了する前に前記記録紙の搬送を開始して記録を行い、
前記静音モードが選択されたことに応じて、前記読取り動作が完了した後に前記記録紙の搬送を開始して記録を行うことを特徴とする画像形成装置。
【請求項７】  記録紙収納部から記録紙を画像記録部へ搬送してレーザースキャナを使用して画像を記録する画像形成装置であって、
記録動作を通常よりも静かに行う静音モードを有し、
前記静音モードが選択されたことに応じて、レーザースキャナの停止状態から所定回転数までの立ち上げ時間を通常時よりも遅くして記録を行うことを特徴とする画像形成装置。
【手続補正２】
【補正対象書類名】明細書
【補正対象項目名】００３７
【補正方法】変更
【補正の内容】
【００３７】
（１）稼動音低減のための切り替え手段を有する画像形成装置であって、前記画像形成装置は記録紙の各サイズに対応した複数の記録紙収納部を有し、前記稼動音低減のための切り替え手段により、記録時の給紙場所を画像形成部に最も近い場所から行うように動作設定可能とすることを特徴とする画像形成装置。
（２）複数の記録紙収納部と、該記録紙収納部から記録紙を画像記録部へ搬送して画像を記録する画像形成装置であって、記録動作を通常よりも静かに行う静音モードを有し、前記静音モードが選択されたことに応じて、通常時に使用する記録紙収納部に対して、同一サイズの記録紙を収納した記録紙収納部のなかで前記画像記録部までの搬送路が、より短い記録紙収納部を選択して記録を行うことを特徴とする画像形成装置。
（３）少なくとも２種類以上の異なる搬送速度で記録紙収納部から記録紙を画像記録部へ搬送して画像を記録可能な画像形成装置であって、記録動作を通常よりも静かに行う静音モードを有し、前記静音モードが選択されたことに応じて、前記異なる搬送速度のなかで通常時より遅い搬送速度を選択して記録を行うことを特徴とする画像形成装置。
（４）記録紙収納部から記録紙を画像記録部へ搬送して画像を記録する際に、単位時間あたりの記録枚数を異ならせて動作可能な画像形成装置であって、記録動作を通常よりも静かに行う静音モードを有し、前記静音モードが選択されたことに応じて、前記単位時間あたりの記録枚数を通常時より低減して記録を行うことを特徴とする画像形成装置。
（５）記録紙収納部から記録紙を画像記録部へ搬送して画像を記録する複数の駆動源を使用した画像形成装置であって、記録動作を通常よりも静かに行う静音モードを有し、前記静音モードが選択されたことに応じて、前記駆動源に対する印加電流値を通常時より低下させて記録を行うことを特徴とする画像形成装置。
（６）原稿を読取る読取り動作を行い、記録紙収納部から記録紙を画像記録部へ搬送して読取った画像を記録する画像形成装置であって、記録動作を通常よりも静かに行う静音モードを有し、通常時は読取り動作が完了する前に前記記録紙の搬送を開始して記録を行い、前記静音モードが選択されたことに応じて、前記読取り動作が完了した後に前記記録紙の搬送を開始して記録を行うことを特徴とする画像形成装置。
（７）記録紙収納部から記録紙を画像記録部へ搬送してレーザースキャナを使用して画像を記録する画像形成装置であって、記録動作を通常よりも静かに行う静音モードを有し、択されたことに応じて、レーザースキャナの停止状態から所定回転数までの立ち上げ時間を通常時よりも遅くして記録を行うことを特徴とする画像形成装置。
【手続補正３】
【補正対象書類名】明細書
【補正対象項目名】００３８
【補正方法】削除
【補正の内容】
【手続補正４】
【補正対象書類名】明細書
【補正対象項目名】００３９
【補正方法】削除
【補正の内容】
【手続補正５】
【補正対象書類名】明細書
【補正対象項目名】００４０
【補正方法】削除
【補正の内容】
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】削除
【補正の内容】
【手続補正８】
【補正対象書類名】明細書
【補正対象項目名】００４３
【補正方法】削除
【補正の内容】
【手続補正９】
【補正対象書類名】明細書
【補正対象項目名】００４４
【補正方法】削除
【補正の内容】
【手続補正１０】
【補正対象書類名】明細書
【補正対象項目名】００５３
【補正方法】変更
【補正の内容】
【００５３】
操作部より静音モードを選択し（Ｓ１）、サブメニュー１の静音優先給紙口モードをＯＮすると（Ｓ２）、例えば、最上部１段目のカセットにＡ４（横）紙／２段目はＡ４Ｒ（縦）紙／３段目はＡ３／そして最下段（４段目）のペーパーデッキ２１には一番使用頻度の高いＡ４（横）が用意されていた場合、Ａ４のコピーを行うと、通常は紙の補給頻度を減らすために最下段のペーパーデッキ２１から給紙されるが（Ｓ４）、静音優先給紙口モードをＯＮすることによって最上段の１段目から給紙が行われ（Ｓ３）、長い縦パス２２を通らず、最短の搬送経路が選ばれる。つまり、同じサイズの紙が複数ある場合、より搬送経路が短い給紙口が選ばれ、搬送距離を短くして紙搬送時の音を大幅に低減するようになっている。